(57)【要約】 【課題】パルプ材料からなる厚紙状物から形成した食品収容容器に、肉、魚等を収容し斜めにしても逆さにしても、血液や液汁が滲入したりしない食品収容容器を提供 する。 【解決手段】パルプ材料から厚紙状物に形成し、該厚紙状物にヒートシール能を有する熱可塑性樹脂をコーティングし、前記厚紙状物の四隅に側面片を形成する切断部を形成し、四隅に隣接する側面片を連結する折込片を有し、該折込片は隣接する両側部よりも短く形成され、折込片よりも長い側壁の表面に貼着する側壁の折込片よりも上の部分に折り返し部を設け、該折り返し部を折り返して側壁の表面に貼着させることにより、四隅に側面片の重合部を形成する工程とによって形成された、容器内面の前記重合部の端部にパルプ材料の切断面を有しないように構成することによって、血液や液汁が滲入したりしない食品収容容器とした。【選択図】図２
2017036086.tif 000002
【特許請求の範囲】
【請求項１】
パルプ材料から厚紙状物に形成し、該厚紙状物にヒートシール能を有する熱可塑性樹脂をコーティングし、前記厚紙状物の四隅に側面片を形成する切断部を形成し、四隅に隣接する側面片を連結する折込片を有し、該折込片は隣接する両側部よりも短く形成され、折込片よりも長い側壁の表面に貼着する側壁の折込片よりも上の部分に折り返し部を設け、該折り返し部を折り返して側壁の表面に貼着させることにより、四隅に側面片の重合部を形成する工程とによって形成された、容器内面の前記重合部の端部にパルプ材料の切断面を有しないことを特徴とする食品収容容器。
【請求項２】
前記側壁の折込片よりも上の部分の折り返し部は、略長方形に形成する請求項1記載の食品収容容器。
【請求項３】
前記側壁の折込片よりも上の部分の折り返し部は、折込片に連接した略三角形状に形成する請求項1記載の食品収容容器。
【請求項４】
前記パルプ材料が、パルプ単独又はパルプと他の植物性繊維材料との混合物である請求項１〜４のいずれかに記載の食品収容容器。
【発明の詳細な説明】
【技術分野】
【０００１】
この発明は、パルプ材料製食品収容容器に係り、詳記すればルプ材料からなる厚紙状物から形成した食品収容容器に、肉、魚等を収容し斜めにしても逆さにして も、血液や液汁が滲入したりしない食品収容容器に関する。
【背景技術】
【０００２】
図1は、従来の食品収容容器を示すものであり、側壁１a，１bを起立させると、側壁１aと１b、側壁１cと１bの間に連接した短いｖ字形の折込片2も一緒に起立し、短いｖ字形の折込片2は、側壁1aの表面に貼着する。側壁１aと１bのｖ字形の折込片2より長い部分は、パルプ材料の切断面３から、血液や液汁が滲むように滲入して容器の外観を汚くする問題があった。尚、内容物に、血液などの液汁が生じないものを使用する場合には、何ら問題が生じないのは勿論である。
【発明の開示】
【発明が解決しようとする課題】
【０００３】
この発明は、このような点に鑑みなされたものであり、血液や液汁が滲むように滲入して容器の外観を汚くする問題を解決した食品収納容器を提供することを目的とする。
【課題を解決するための手段】
【０００４】
上記目的を達成するため、本発明者は鋭意研究の結果、折込片よりも長い側壁の表面に貼着する側壁の折込片よりも上の部分に折り返し部を設け、該折り返し部を折り返して側壁の表面に貼着させることにより、切断面は表面に出ないので、血液や液汁が滲むように滲入する問題は生じないことを想到し、本発明に到達した。
【０００５】
即ち本発明は、パルプ材料から厚紙状物に形成し、該厚紙状物にヒートシール能を有する熱可塑性樹脂をコーティングし、前記厚紙状物の四隅に側面片を形成する切断部を形成し、四隅に隣接する側面片を連結する折込片を有し、該折込片は隣接する両側部よりも短く形成され、折込片よりも長い側壁の表面に貼着する側壁の折込片よりも上の部分に折り返し部を設け、該折り返し部を折り返して側壁の表面に貼着させることにより、四隅に側面片の重合部を形成する工程とによって形成された、容器内面の 前記重合部の端部にパルプ材料の切断面を有しないことを特徴とする。
【０００６】
前記側壁の折込片よりも上の部分の折り返し部は、略長方形に形成するのが好ましい（請求項２）。前記側壁の折込片よりも上の部分の折り返し部は、折込片に連接した略三角形状に形成しても差支えない（請求項３）。
【０００７】
前記パルプ 材料が、パルプ単独又はパルプと他の植物性繊維材料との混合物であるのが好ましい（請求項４）。
【発明の効果】
【０００８】
以上述べた如く本発明によれば、折込片よりも長い側壁の表面に貼着する側壁の折込片よりも上の部分に折り返し部を設け該折り返し部を折り返して側壁の表面に貼着させることによって、パルプ材料の切断面は表面に出ないので、血液や液汁が滲むように滲入して容器の外観を汚くするという長年の課題を解決すると言う絶大な効果を奏する。
【図面の簡単な説明】
【０００９】
【図１】従来の食品収容容器の一例を示す部分展開図である。
【図２】本発明の食品容器の一例を示す部分展開図である。
【図３】本発明の食品容器の他の例を示す部分展開図である。
【図４】本発明に使用する食品収容容器を製造する金型の一例を示す斜視図である。
【図５】本発明の食品容器の例を示す斜視図である。
【符号の説明】
【００１０】
1a,1b,1c,1d…………側壁
2………………………折込片
3………………………パルプ材料の切断面
4a,4b…………………折り返し部
5………………………金型凹部
6,6´…………………ロッド
７………………………断面コ字形の鍔状部
８………………………折曲部
【発明を実施するための最良の形態】
【００１１】
次に、本発明の実施の形態を説明する。 
【００１２】
本発明は、パルプ材料から食品収納容器を形成する。 パルプ又はパルプを主成分とする材料から食品収納容器を形成するには、パルプ又はパルプを主成分とする材料から所定の大きさの厚紙状物に形成し、裏面にヒートシール能を有 する熱可塑性樹脂を塗布し、前記厚紙状物の四隅に側面片を形成する切断部を形成した厚紙状物を、凹凸一対のプレス金型で加熱プレスすれば良い。プレス金型でプレスするには 、対向する一方の側面片は、先に起立させなければならない。金型で加熱プレスする代わりに熱風を吹き付けて加熱プレスしても良い。
【００１３】
図４は、この目的に使用する金型の一例を示すものであり、金型凹部５の周縁の一方の 対向部には、ロッド６, ６´が固定されている。先に起立させる側面片は、このロッ
ド６, ６´上に載せるようにすれば良い。
【００１４】
図2は、本発明の実施例を示すものであり、側面片1aと1bとの間に折込片２が連接され、側面片1aの表面に貼着させる側面片1aの折込片2より上の部分に略長方形の折り返し部4aが形成されている。折り返し部4aを折り返して側面片1aに貼着させても表面にパルプ材料の切断面が出ないので、血液や液汁が滲むように滲入して容器の外観を汚くするという問題は生じない。
【００１５】
図３は、本発明の他の実施例を示すものであり、側面片1aと1bとの間に折込片２が連接され、側面片1aの表面に貼着させる側面片1aの折込片2より上の部分に略三角形の折り返し部4bが形成されている。折り返し部4bを折り返して側面片1aに貼着させても表面にパルプ材料の切断面が出ないので、血液や液汁が滲むように滲入して容器の外観を汚くするという問題は生じない。
【００１６】
パルプ材料から厚紙状物を製造するには公知の方法によって行えば良い。即ち、パルプ材料を水に懸濁させたものを、すき工程、みず切り工程及び乾燥工程を経て、厚紙状物とすればよい。このようにして得た厚紙状物は、形成しようとする容器若しくは蓋体の展開形状に切断する。尚、バージンパルプ の代わりに古新聞紙のような古紙から製造したパルプを使用することもできる。
【００１７】
上記実施例に於いては、折り返し部は、長方形と三角形に形成されているが、折り返し部が形成できるなら、その形状は特に限定されない。
【００１８】
ヒートシール能を有する熱可塑性樹脂をコーティングする工程は、展開形状に切断する前であっても後であってもよい。熱可塑性樹脂は、厚紙状物の裏面にコーティングするの がよい。熱可塑性樹脂をコーティングするのは、金型で容器に形成できると共に、水分、 血液、液汁などの浸み込みが防止できるからである。熱可塑性樹脂としては、特にポリエチレン又はポリプロピレンを使用するのが好ましい。
【００１９】
このようにして形成した厚紙状物には、四隅に側面片を形成する切断部を形成する。それから、底面と側面との境界に折り目を形成する。折り目は、抜き金型によって形成する のが好ましい。
【００２０】
凹凸一対の加熱プレス金型で食品収納容器を形成するには、厚紙状物を図５に示す凹金型上に載置し、一方の対向する側面片は、他方の対向する側面片よりも先に起立させ、これを上から凸金型で押圧加熱プレスして、容器を形成すると同時に、四隅をヒートシール して、図５に示す断面コ字形の鍔状部７を有する食品収納容器２´を一工程で製造することができる。鍔状部７は、断面コ字状に形成されているが、これは図５に示すように 、凹金型の凹部上端外周に断面四角形のリング状凸条１３を設けたからである。図６中３は、容器内面に位置する切断面である。
【００２１】
上記実施例に於いては、鍔状部７は断面コ字形に形成されているが、断面半円形でも、三角形でも、要するに折り返し部を形成したものであればよく、特に限定されない。
【００２２】
断面コ字形の鍔状部７の下端には、外方水平方向の折曲部８が連設されている。こ のように折曲部８を設けることによって、ラミネートした熱可塑性樹脂フィルムの容器 からはみ出した部分を、折曲部８と一緒に容易に切断することができる。
【００２３】
このようにして形成した厚紙状物には、折り目を形成する。折り目は、抜き金型によって形成するのが好ましい。即ち、底面と側面との境界、側面と折込片との境界等の折曲部 は、抜き金型に凸条が形成され、これに厚紙状物を載せて上からプレスすることにより、上記折り目を形成することができる。勿論、他の手段によって折り目を形成しても良い。
【００２４】
本発明の方法により製造する食品収納容器としては、特に限定されないが、好適なものとして、トレー及び万能容器等が挙げられる。上記のように製造した容器は、パルプ材料の切断面が容器内面に無いので、ここから肉 、魚、レバー等の血液、水分等が浸み込む恐れはない。
【産業上の利用可能性】
【００２５】
発明によれば、折込片よりも長い側壁の表面に貼着する側壁の折込片よりも上の部分に折り返し部を設け該折り返し部を折り返して側壁の表面に貼着させることによって、パルプ材料の切断面は表面に出ないので、血液や液汁が滲むように滲入して容器の外観を汚くするという長年の課題を解決したものであるので、その利用が期待される。
【図１】
2017036086.tif 000003
【図２】
2017036086.tif 000004
【図３】
2017036086.tif 000005
【図４】
2017036086.tif 000006
【図５】
2017036086.tif 000007